(57)【特許請求の範囲】
【請求項１】
情報を入力するための入力手段と、情報を出力する出力手段と、サーバとネットワークを介して接続し、情報の送受信を行う携帯用情報送受信手段とを有する携帯端末と、
上記携帯端末とネットワークを介して接続して情報の送受信をするサーバ用情報送受信手段と、上記携帯端末に関する携帯端末能力情報を上記携帯端末から取得して、この取得した携帯端末情報に基づいて上記携帯端末の能力に応じた供給情報のレーティングを行い、このレーティングを行ったレーティング結果に基づいて上記供給情報を変形した変形情報を上記携帯端末に提供する変形情報提供手段とを有するサーバと
を備え、
上記変形情報提供手段は、上記携帯端末が上記ネットワークを介して上記サーバにアクセスした日時及び頻度に関して統計を取り、この統計を取った統計結果を解析し、また、上記入力手段から入力されたユーザ情報を取得してこのユーザ情報を解析し、上記統計結果の解析結果と上記ユーザ情報の解析結果に基づいて上記供給情報のレーティングを行う情報提供システム。
【請求項２】
携帯端末とネットワークを介して接続して情報の送受信をするサーバ用情報送受信手段と、
上記携帯端末に関する携帯端末能力情報を上記携帯端末から取得して、この取得した携帯端末情報に基づいて上記携帯端末の能力に応じた供給情報のレーティングを行い、このレーティングを行ったレーティング結果に基づいて上記供給情報を変形した変形情報を上記携帯端末に提供する変形情報提供手段と
を有し、
上記変形情報提供手段は、上記携帯端末が上記ネットワークを介して上記サーバにアクセスした日時及び頻度に関して統計を取り、この統計を取った統計結果を解析し、また、上記入力手段から入力されたユーザ情報を取得してこのユーザ情報を解析し、上記統計結果の解析結果と上記ユーザ情報の解析結果に基づいて上記供給情報のレーティングを行うサーバ。
【発明の詳細な説明】
【０００１】
【発明の属する技術分野】
本発明は、サーバがＷｏｒｌｄ Ｗｉｄｅ Ｗｅｂ（以下、ＷＷＷという。）情報等を、携帯端末の機能やユーザの趣向に適した状態で携帯端末に提供する情報提供システム及びサーバに関するものである。
【０００２】
【従来の技術】
近年、例えばインターネット上において様々な情報を提供するＷＷＷでは、Ｐｌａｔｆｏｒｍ  ｆｏｒ  Ｉｎｔｅｒｎｅｔ  Ｃｏｎｔｅｎｔ  Ｓｅｌｅｃｔｉｏｎ（以下、ＰＩＣＳという。）というレーティングサービスが存在する。このレーティングサービスでは、未成年者に対して暴力や猥褻なＷＷＷサイトを見せないようにするために、ＷＷＷサイトをレーティングしている。
【０００３】
また、従来からサーバは、ＷＷＷサイト等の供給情報の取得要求を携帯端末から受信した場合に、この供給情報を解析しないでそのままの状態で携帯端末に送信していた。
【０００４】
【発明が解決しようとする課題】
ところで、サーバが供給情報の取得要求を携帯端末から受信した場合に、この供給情報を解析しないでそのままの状態で携帯端末に送信すると、携帯端末の機能やこの携帯端末を用いるユーザの趣向に適さない場合がある。
【０００５】
例えば、携帯端末がサーバから送信されてきたＷＷＷ情報等を、表示領域が小さい携帯端末の出力部に全て収めようとすると、文字等が小さくなりユーザにとって見づらくなる。
【０００６】
そこで、本発明は、サーバが予め携帯端末から取得した携帯端末能力情報に基づいて供給情報の解析を行い、この解析結果に基づいて供給情報を変形した携帯端末の機能やこの携帯端末を用いるユーザの趣向に適した変形情報を携帯端末に提供する情報提供システム及びサーバを提供することを目的とするものである。
【０００７】
【課題を解決するための手段】
上述の課題を解決するために、本発明に係る情報提供システムは、情報を入力するための入力手段と、情報を出力する出力手段と、サーバとネットワークを介して接続し、情報の送受信を行う携帯用情報送受信手段とを有する携帯端末と、上記携帯端末とネットワークを介して接続して情報の送受信をするサーバ用情報送受信手段と、上記携帯端末に関する携帯端末能力情報を上記携帯端末から取得して、この取得した携帯端末情報に基づいて上記携帯端末の能力に応じた供給情報のレーティングを行い、このレーティングを行ったレーティング結果に基づいて上記供給情報を変形した変形情報を上記携帯端末に提供する変形情報提供手段とを有するサーバとを備え、上記変形情報提供手段は、上記携帯端末が上記ネットワークを介して上記サーバにアクセスした日時及び頻度に関して統計を取り、この統計を取った統計結果を解析し、また、上記入力手段から入力されたユーザ情報を取得してこのユーザ情報を解析し、上記統計結果の解析結果と上記ユーザ情報の解析結果に基づいて上記供給情報を変形することを特徴とする。
【０００８】
この情報提供システムでは、サーバが携帯端末に関する携帯端末能力情報を携帯端末から取得して、この取得した携帯端末能力情報に基づいて携帯端末の能力に応じた供給情報の解析を行い、この解析を行った解析結果に基づいて供給情報を変形した変形情報を携帯端末に提供する。
【０００９】
また、本発明に係るサーバは、携帯端末とネットワークを介して接続して情報の送受信をするサーバ用情報送受信手段と、上記携帯端末に関する携帯端末能力情報を上記携帯端末から取得して、この取得した携帯端末情報に基づいて上記携帯端末の能力に応じた供給情報のレーティングを行い、このレーティングを行ったレーティング結果に基づいて上記供給情報を変形した変形情報を上記携帯端末に提供する変形情報提供手段とを有し、上記変形情報提供手段は、上記携帯端末が上記ネットワークを介して上記サーバにアクセスした日時及び頻度に関して統計を取り、この統計を取った統計結果を解析し、また、上記入力手段から入力されたユーザ情報を取得してこのユーザ情報を解析し、上記統計結果の解析結果と上記ユーザ情報の解析結果に基づいて上記供給情報を変形することを特徴とする。
【００１０】
このサーバでは、携帯端末に関する携帯端末能力情報を携帯端末から取得して、この取得した携帯端末能力情報に基づいて携帯端末の能力に応じた供給情報の解析を行い、この解析を行った解析結果に基づいて供給情報を変形した変形情報を携帯端末に提供する。
【００１３】
【発明の実施の形態】
以下、本発明の実施の形態について、図面を参照しながら説明する。
【００１４】
本発明に係る情報提供システムは、例えばインターネットを用いてシステムを構築するものである。本発明の実施の形態である情報提供システムを図１に示す。
【００１５】
情報提供システム１は、この図１に示すように、例えば通信機能を備えるＰｅｒｓｏｎａｌ  Ｄｉｇｉｔａｌ  Ａｓｓｉｓｔａｎｔ（以下、ＰＤＡという。）である携帯端末２と、各種サーバを備えるサーバシステム３と、公衆網を介して携帯端末２とサーバシステム３との間の無線回線の設定や制御を行う無線設備である公衆用基地局（以下、基地局という。）４とを備える。
【００１６】
携帯端末２は、ユーザが手動及び／又は音声で入力した情報を処理する入力部２ａと、表示デバイスや音声デコーダ等を用いてユーザに対して情報を出力する出力部２ｂと、携帯端末２が用いる通信方式に従った通信処理及びサーバシステム３との接続を確立するための接続処理を行う通信部２ｃと、サーバシステム３との情報送受信処理を行う情報送受信処理部２ｄとを有する。
【００１７】
出力部２ｂは、例えば、液晶ディスプレイのような所定の大きさの表示部を有する表示デバイスや、スピーカのような所定の大きさの音声出力部を有する音声デコーダ等を有する。この表示デバイスは、サーバシステム３から送信されてきたＷＥＢサイトの情報等を白黒又はグレースケール又はカラー等で表示する。なお、一般に、出力部である表示デバイスの表示部は、携帯性が増せば増すほど携帯端末自体がコンパクトになっていくので、小さくなる。
【００１８】
通信部２ｃは、携帯端末２に備えられた通信方式に従った通信処理及びサーバシステム３との接続を確立するための接続処理を行う。通信部２ｃは、サーバシステム３等との間で、例えば、Ｐｅｒｓｏｎａｌ  Ｈａｎｄｙｐｈｏｎｅ  Ｓｙｓｔｅｍ−ＰＨＳ  Ｉｎｔｅｒｎｅｔ  Ａｃｃｅｓｓ  Ｆｏｒｕｍ  Ｓｔａｎｄａｒｄ（以下、ＰＨＳ−ＰＩＡＦＳという。）やＰｅｒｓｏｎａｌ  Ｄｉｇｉｔａｌ  Ｃｏｍｍｕｎｉｃａｔｉｏｎ  Ｓｙｓｔｅｍ（以下、ＰＤＣという。）等を用いて通信する。
【００１９】
情報送受信処理部２ｄは、サーバシステム３との情報送受信で用いるファイルを記述する言語に、例えば、ＨｙｐｅｒＴｅｘｔ  Ｍａｒｋｕｐ  Ｌａｎｇｕａｇｅ（以下、ＨＴＭＬという。）Ｘ．ＸやＪＡＶＡを用いる。
【００２０】
サーバシステム３は、携帯端末２との接続認証処理を行い、インターネットへの接続処理を行う認証サーバ５と、インターネットに接続された携帯端末２の通信要求を受けて、この携帯端末２の代理としてインターネットとの間の通信を行う代理サーバ６と、メールの送受信処理を行うメールサーバ７と、携帯端末２に関する携帯端末能力情報を携帯端末２から取得することにより、変形情報を携帯端末２に提供する変形情報提供サーバ８と、変形情報とログ情報とユーザ情報等を記憶するデータベース９とを有する。
【００２１】
認証サーバ５は、例えば、Ｒｅｍｏｔｅ  Ａｕｔｈｅｎｔｉｃａｔｉｏｎ  Ｄｉａｌ  Ｉｎ  Ｕｓｅｒ  Ｓｅｒｖｉｓｅ（以下、ＲＡＤＩＵＳという。）を用いて、携帯端末２への認証処理を行う。認証サーバ５は、例えば、Ｐｏｉｎｔ  ｔｏ  Ｐｏｉｎｔ  Ｐｒｏｔｏｃｏｌ（以下、ＰＰＰという。）やＰＨＳ  Ｉｎｔｅｒｎｅｔ  Ａｃｃｅｓｓ  Ｆｏｒｍ  Ｓｔａｎｄａｒｄを用いて、携帯端末２からの接続処理を行う。ここで、ＰＰＰは、公衆電話回線などでインターネットへ接続するためのプロトコルである。また、ＰＩＡＦＳは、ＰＨＳで情報を効率的に送るためのプロトコルである。
【００２２】
代理サーバ６は、例えば、携帯端末２がインターネットへ接続するときの中継点であり、携帯端末２が代理サーバ６のアプリケーションに接続して処理した履歴を残すためのログ処理部を有する。
【００２３】
メールサーバ７は、例えば、Ｓｉｍｐｌｅ  Ｍａｉｌ  Ｔｒａｎｓｆｅｒ  Ｐｒｏｔｏｃｏｌ（以下、ＳＭＴＰという。）、Ｐｏｓｔ  Ｏｆｆｉｃｅ  Ｐｒｏｔｏｃｏｌ（以下、ＰＯＰという。）、Ｉｎｔｅｒｎｅｔ  Ｍｅｓｓａｇｅ  Ａｃｃｅｓｓ  Ｐｒｏｔｏｃｏｌ（以下、ＩＭＡＰという。）等を用いて通信する。ここで、ＳＭＴＰは、インターネットを介してサーバシステムとの間でメールの送受信をするアプリケーションを実現する簡易メール転送プロトコルである。また、ＰＯＰ及びＩＭＡＰは、スプールからメールを取り出してくるためのプロトコルである。
【００２４】
変形情報提供サーバ８は、携帯端末２に関する携帯端末能力情報を携帯端末２から取得して、この取得した携帯端末能力情報に基づいて携帯端末２の能力に対応するように供給情報の解析を行い、この解析を行った解析結果に基づいて供給情報を変形して携帯端末２に適した状態の変形情報を作成し、この作成した変形情報を携帯端末２に送信する。
【００２５】
ここで、携帯端末能力情報とは、携帯端末が有する機能を示す情報であり、例えば携帯端末２は４インチのディスプレイに高精細カラーでＷＷＷサイトの情報を表示するという情報のことをいう。また、供給情報とは、インターネットを介してサーバシステム３が携帯端末２に供給する情報であり、例えばＷＷＷサイトが備えている表示能力や表示領域等のＷＷＷ情報のことをいう。さらに、変形情報とは、携帯端末２の機能やユーザの趣向に適するように供給情報を変形した情報であり、例えばユーザがＷＷＷサイトを見やすくなるように表示能力や表示領域等の情報について供給情報を変形した情報のことをいう。
【００２６】
データベース９は、サーバシステム３が携帯端末２から取得した携帯端末能力情報と、携帯端末２からインターネットを介してサーバシステム３にアクセスした日時及び頻度等に関するログ情報と、入力部２ａから入力された後述するユーザ情報等を記憶する属性情報記憶部９ａを備える。
【００２７】
データベース９は、各サーバから送信された情報と属性情報記憶部９ａに記憶されていた情報とを比較検討し、各サーバから新しい情報が供給されてきた場合には、その新しい情報への情報の更新を行う。
【００２８】
なお、認証サーバ５とメールサーバ７とは、携帯端末２が認証サーバ５とメールサーバ７との各種アプリケーションに接続して処理した履歴を残すためのログ処理部を備えている。認証サーバ５と代理サーバ６とメールサーバ７とは、これらのログ処理部に記憶されているログ情報をこれらのログ処理部から取得し、データベース９に記憶させる。
【００２９】
このような各サーバを備えるサーバシステム３は、ＨｙｐｅｒＴｅｘｔ  Ｍａｒｋｕｐ  Ｌａｎｇｕａｇｅ（以下、ＨＴＭＬという。）で記述されたファイルを転送するプロトコルであるＨｙｐｅｒＴｅｘｔ  Ｔｒａｎｓｆｅｒ  Ｐｒｏｔｏｃｏｌ（以下、ＨＴＴＰという。）等を用いて通信する。また、サーバシステム３の各サーバは、同一のサーバで構成してもよい。
【００３０】
以上のように構成された情報提供システム１では、サーバシステム３がインターネットを介してユーザが所有する携帯端末２に、ユーザがアクセスしたＷｏｒｌｄ  Ｗｉｄｅ  Ｗｅｂ（以下、ＷＷＷという。）サイトのホームページ等の情報を送信する。
【００３１】
つぎに、情報提供システム１におけるサーバシステム３の各サーバが行う一連の処理について説明する。
【００３２】
まず、サーバシステム３において、変形情報提供サーバ８は、携帯端末２から携帯端末能力情報を取得し、この携帯端末能力情報をデータベース９の属性情報記憶部９ａに記憶させる。そして、変形情報提供サーバ８は、この属性情報記憶部９ａに記憶された携帯端末能力情報に基づき携帯端末の能力に対応するように供給情報に対してレーティングを行う。変形情報提供サーバ８は、このレーティングを行った結果に基づいて供給情報を変形して、携帯端末２の機能やユーザの趣向に適した状態の変形情報を得る。また、変形情報提供サーバ８は、上記変形情報を属性情報記憶部９ａに記憶させ、かつ、この変形情報を携帯端末２に送信する。
【００３３】
具体的には、変形情報提供サーバ８は、例えば、表示部が白黒又はグレースケール又はカラーで表示するのかについての表示能力、表示部の表示面にＷＥＢサイトが収まるのかについての表示領域等に関する携帯端末能力情報を携帯端末２から取得する。また、変形情報提供サーバ８は、通信にはＰＨＳ−ＰＩＡＦＳを用いるのかＰＤＣを用いるのかについての伝送速度、ファイルを記述する言語にはＨＴＭＬＸ．Ｘを用いるのかＪＡＶＡを用いるのかについてのサポートマークアップ言語等に関する携帯端末能力情報を携帯端末２から取得する。
【００３４】
そして、変形情報提供サーバ８は、この取得した携帯端末能力情報に基づいて、全ての携帯端末に対してＷＷＷサイトが備えている表示能力や表示領域等のＷＷＷ情報の点数評価をすることによりレーティングを行う。例えば、変形情報提供サーバ８は、ある携帯端末２について点数評価した場合、表示能力については高精細カラー表示なので５点中５点だが、表示領域についてはディスプレイが小さいので５点中２点というように、全ての携帯端末に対してＷＷＷ情報の点数評価をすることによりレーティングを行う。
【００３５】
変形情報提供サーバ８は、このレーティングを行った結果に基づいて、例えばユーザがＷＷＷサイトを見やすくなるように表示能力や表示領域等のＷＷＷ情報を変形して、この変形したＷＷＷ情報を属性情報記憶部９ａに記憶させ、かつ、この変形したＷＷＷ情報を携帯端末２に送信する。
【００３６】
ここで、情報提供システム１の具体的な使われ方を説明する。
【００３７】
例えば、新聞というカテゴリの中には、◯◯新聞、××新聞等の様々な新聞ＷＥＢが存在する。変形情報提供サーバ８は、それぞれの新聞ＷＥＢ情報を上述した基準に基づいてレーティングを行うことにより、携帯端末２に適した新聞ＷＥＢ情報を携帯端末２に送信する。つまり、変形情報提供サーバ８は、例えば、表示領域を大きくはみ出すものや表現にフルカラーを用いているもの、１つのページとしてのデータ容量が非常に大きいもの、携帯端末２ではサポートしていない仕様を用いているもの等のそれぞれに関して、減算したり加算したりすることにより、携帯端末２の仕様にあった新聞ＷＥＢ情報を選択するというレーティングを行う。このようなレーティングを行うことにより、変形情報提供サーバ８は、携帯端末２やユーザに適した新聞ＷＥＢ情報を携帯端末２に送信する。
【００３８】
このようにして、情報提供システム１は、携帯端末２に関する携帯端末能力情報を携帯端末２から取得して、この取得した携帯端末能力情報に基づいて携帯端末２の能力に応じた供給情報のレーティングを行うことにより、ユーザが見やすく携帯端末２の機能に適したＷＷＷサイト等の情報を携帯端末２に送信することができる。
【００３９】
次に、変形情報提供サーバ８が上述した携帯端末能力情報以外の情報を用いて行う一連の処理について説明する。
【００４０】
まず、変形情報提供サーバ８は、ユーザが携帯端末２からインターネットを介してアクセスした日時及び頻度に関するログ情報の統計を取り、この統計を取った統計結果を解析することにより、変形したＷＷＷサイト等の情報を携帯端末２に送信する。変形情報提供サーバ８は、このログ情報と変形したＷＷＷサイト等の情報とを属性情報記憶部９ａに記憶させる。
【００４１】
また、変形情報提供サーバ８は、ユーザが入力部２ａから入力したユーザ情報を取得してこの取得したユーザ情報を解析することにより、変形したＷＷＷサイト等の情報を携帯端末２に送信する。このユーザ情報とは、例えばディスプレイに表示される文字をもう少し大きくするように要求する情報のことをいう。変形情報提供サーバ８は、このユーザ情報と変形したＷＷＷサイト等の情報とを属性情報記憶部９ａに記憶させる。
【００４２】
具体的には、サーバシステム３において、代理サーバ６は、例えば、携帯端末２がＳＭＴＰやＰＯＰ又はＩＭＡＰを使用した日時についてや、いつ、どのＷＷＷサイトで、どのような処理を実行し、どのようなページを閲覧したのかについてのログ情報を取得し、このログ情報を属性情報記憶部９ａに記憶させる。また、メールサーバ７は、例えば、いつ、どこからメールを何通受信したのかに関するログ情報を取得し、このログ情報を属性情報記憶部９ａに記憶させる。変形情報提供サーバ８は、これらの代理サーバ６やメールサーバ７が記憶させたログ情報を属性情報記憶部９ａから取得して解析することにより、変形したＷＷＷサイト等の情報を携帯端末２に送信する。
【００４３】
変形情報提供サーバ８は、このようなログ情報をある一定期間で統計的に処理を行って解析することにより、より正確であり各携帯端末やユーザに適したＷＷＷサイト等の情報を取得する。変形情報提供サーバ８は、ログ情報を解析する度にこの解析結果を属性情報記憶部９ａに記憶させる。
【００４４】
このように、変形情報提供サーバ８は、ＷＷＷサイト等の情報の変形を行うことにより、携帯端末２の機能に適したユーザが見やすいＷＷＷサイト等の情報を携帯端末２に送信する。
【００４５】
以上述べたように、情報提供システム１によれば、携帯端末２に関する携帯端末能力情報に基づいて携帯端末２の能力に応じた供給情報のレーティングを行うことにより、ユーザが見やすく携帯端末２の機能に適したＷＷＷサイト等の情報を携帯端末２に送信することができる。また、一般に、携帯端末２は、携帯性が増せば増すほど表示能力と表示領域と伝送速度等に限界が生じる。従って、情報提供システム１によれば、携帯端末２をユーザが見やすく携帯端末２に適した状態で使用することができる。
【００４６】
なお、上述した実施の形態では、携帯端末２に通信機能を備えたＰＤＡを用いたが、このようなＰＤＡ以外の複合端末等を用いてもよい。
【００４７】
【発明の効果】
以上説明したように、本発明に係る情報提供システム及びサーバによれば、携帯端末がネットワークを介してサーバにアクセスした日時及び頻度に関して統計を取り、この統計を取った統計結果を解析し、また、上記携帯端末の入力手段から入力されたユーザ情報を取得してこのユーザ情報を解析し、上記統計結果の解析結果と上記ユーザ情報の解析結果に基づいて供給情報のレーティングを行うことにより、携帯端末の機能やユーザの趣向に適した変形情報を携帯端末に提供することができる。
【図面の簡単な説明】
【図１】本発明の実施の形態を示す情報提供システムの構成図である。
【符号の説明】
１  情報提供システム、２  携帯端末、３  サーバシステム、４  基地局、５認証サーバ、６  代理サーバ、７  メールサーバ、８  変形情報提供サーバ、９  データベース
【図１】
0004240615.tif 000002